(57)【要約】【課題】外付け式デジタル角度測定装置の提供。【解決手段】この外付け式デジタル角度測定装置は、手動工具に結合され、該手動工具は駆動ロッドと、該駆動ロッドの一端に設けられた駆動ヘッドと、該駆動ヘッドの一側に設けられてネジ締めを行うスリーブコネクタを有する。該外付け式デジタル角度測定装置はケース、表示装置、角度検出システムと結合部を包含する。該ケースは該結合部により着脱自在に該駆動ヘッド或いは該駆動ロッド或いは該スリーブコネクタ、或いは手動工具の、該外付け式デジタル角度測定装置を固定できる任意の位置に取付けられ、並びに該表示装置と該角度検出システムが該ケースに設置される。該結合部により本発明が異なる手動工具に取付け可能とされ、これにより該角度検出システムがさらに正確に誤差なく該手動工具が駆動するネジの回転角度を検出計算し、並びに該表示装置に表示させることができる。【選択図】図６
2011252782.tif 000002
【特許請求の範囲】
【請求項１】
外付け式デジタル角度測定装置において、
ケース（20）と、
結合部であって、該ケースに設置され、並びに該結合部により該外付け式デジタル角度測定装置が手動工具（10）に固定される、上記結合部と、
角度検出システム（40）であって、該ケース（20）内部に設置されて、回転角度を検出する、上記角度検出システム（40）と、
表示装置（30）であって、該角度検出システム（40）に電気的に接続されて該回転角度を表示する、上記表示装置（30）と、
を包含したことを特徴とする外付け式デジタル角度測定装置。
【請求項２】
請求項１記載の外付け式デジタル角度測定装置において、該結合部が磁石、吸盤、及び挟持爪のいずれかとされることを特徴とする外付け式デジタル角度測定装置。
【発明の詳細な説明】
【技術分野】
【０００１】
本発明は一種の手動工具の外付け装置に係り、特に、手動工具の回転角度を取得できる外付け式測定装置に関する。
【背景技術】
【０００２】
図１を参照されたい。周知の技術によると、スパナ１ａの駆動ヘッドのコネクタ１ａ’の回転角度を測定するには、コネクタ１ａ’に角度ゲージ２を設置し、該角度ゲージ２は目盛り３を有し、これにより該スパナ１ａを回す時、該角度ゲージ２の目盛り３の回転角度を記録して、コネクタ１ａ’の回転角度を得ているが、その操作は面倒で手作業による誤差が大きく、使用者の要求を満足させられない。
【０００３】
図２に示される別の周知のスパナ１ｂにおいて、その駆動ヘッドのコネクタ１ｂ’の回転角度を測定するため、スパナ１ｂの桿体４には角度測定装置５が嵌合され、並びに伝送線５’で該角度測定装置５が制御システム（図示せず）と表示装置６に電気的に接続され、該角度測定装置５は桿体４の外形に合わせて設置され、該角度測定装置５はジャイロスコープとされ得て、それは角度回転量を測定し並びにスパナ１ｂに設けられた制御システムに入力し、且つ表示装置６により表示することができる。このような角度測定装置５は特定のスパナ１ｂ、及びその特定の制御システム及び表示装置６に組み合わされなければ使用できず、その共用性は低く、使用に面倒で不便であり、誤差が比較的大きく、構造の複雑性が高い。
【０００４】
図３は特許文献１記載の回転角度測定可能なスパナ１ｃを示し、それは、角度測定システム７がスパナ１ｃの駆動ヘッドのコネクタ１ｃ’の回転角度を検出し、並びに回転角度の多寡により工作物の締めつけ程度を評価する。このような回転角度測定可能なスパナ１ｃは、その他の工具との共用或いは任意に使用位置を交換することができず、このためその製造コストは高く、構造は比較的複雑で且つ使用する場面は広くない。
【０００５】
図４は特許文献１記載の別の例であり、それは回転角度測定可能なスパナ１ｄを開示し、それは角度測定システム８がスパナ１ｄの駆動ヘッドのコネクタ１ｄ’の回転角度を検出する。このような回転角度測定可能なスパナ１ｄの角度測定システムは直接スパナ１ｄ内に取付けられ、このため他の工具と共用できず、運用範囲が小さい。
【０００６】
上述の周知の構造において、その角度ゲージ２、角度測定装置５と角度測定システム７、８は操作が困難であるか、あるいは困難でないにしても、直接スパナ１ａ、１ｂ、１ｃ、１ｄに取付けられ、このため特定のスパナにしか用いることができず、その他のスパナに用いることができず、このため広く使用できず、且つその構造が複雑で、このため価格が比較的高い。
【先行技術文献】
【特許文献】
【０００７】
【特許文献１】米国特許第ＵＳ５５８９６４４号明細書
【発明の概要】
【発明が解決しようとする課題】
【０００８】
このため、本発明の主要な目的は、一種の外付け式デジタル角度測定装置を提供することにあり、それは各種の手動工具に取り付けられ、高い共用性を有し、並びに操作者が工具を回す回転角度を測定できるようにする。
【課題を解決するための手段】
【０００９】
本発明は一種の外付け式デジタル角度測定装置とされ、それは、
ケース、結合部、角度検出システム及び表示装置を包含し、該結合部は該ケースに設置され、並びに該結合部により該外付け式デジタル角度測定装置が工具に固定され、該角度検出システムは該ケース内部に設置されて、回転角度の検出に供され、該表示装置は該角度検出システムに電気的に接続されて該回転角度を表示する。
【発明の効果】
【００１０】
該結合部により、本発明は簡単スピーディーに異なる手動工具に取付けられ、多くの任意の外形の手動工具に共用できるほか、該角度検出システムは正確に誤差なく該手動工具の駆動するネジの回転角度を計算できる。
【図面の簡単な説明】
【００１１】
【図１】周知の技術の外観構造図である。
【図２】別の周知の技術の外観構造図である。
【図３】特許文献１の外観構造図である。
【図４】特許文献１のもう一つの外観構造図である。
【図５】本発明の外観構造図である。
【図６】本発明の内部構造表示図である。
【図７】本発明の実施方式の外観構造図である。
【図８】本発明の別の実施方式の外観構造図である。
【図９】本発明のさらに別の実施方式の外観構造図である。
【図１０】本発明のさらにまた別の実施方式の外観構造図である。
【発明を実施するための形態】
【００１２】
本発明の特徴、目的、及び作用効果についてさらに深くご理解いただくため、以下に好ましい実施例を挙げ並びに図面を組み合わせて説明を行う。
【００１３】
図５、図６、及び図７を参照されたい。これらは本発明の実施例を示し、それは手動工具１０に取り付けられ、該手動工具１０は駆動ロッド１１、該駆動ロッド１１の一端に設けられた駆動ヘッド１２、該駆動ヘッド１２の一側に設けられてネジ締めに用いられるスリーブコネクタ１３を包含する。該外付け式デジタル角度測定装置は、ケース２０、表示装置３０、角度検出システム４０と結合部５０を包含する。そのうち、該ケース２０の底部に結合部固定座６０が設けられ、該結合部５０は吸着力を有する素子とされ、並びに該結合部固定座６０に固定され、該結合部５０の吸着力により、該駆動ヘッド１２或いは該駆動ロッド１１或いは該手動工具１０の任意の該外付け式デジタル角度測定装置を取り付ける位置に着脱自在に取付けられる。該結合部５０の吸着力により、本発明の外付け式デジタル角度測定装置はスピーディーに、該駆動ヘッド１２或いは該駆動ロッド１１或いは該手動工具１０の任意の適当な位置に取付けられる。
【００１４】
該角度検出システム４０は該ケース２０の内部に設置され、並びに該スリーブコネクタ１３の回転角度を検出し、該角度検出システム４０は、デジタル角度測定装置４１と信号処理システム４２を包含し、並びに回路板４３上に設けられ、並びに該デジタル角度測定装置４１はジャイロスコープとされ得る。該表示装置３０は該ケース２０上に設置され、並びに該角度検出システム４０と電気的に接続され、これにより該スリーブコネクタ１３の回転角度を表示する。
【００１５】
また、該ケース２０には発光装置２１、ブザー２２、及び設定ボタン２３を設置可能であり、該設定ボタン２３は回転角度或いはパラメータ或いは関係情報を設定でき、該発光装置２１と該ブザー２２はアラーム発生用であり、また、該ケース２０内に電池２４を設置でき、該電池２４は操作に必要な電力を提供する。
【００１６】
また、図８を参照されたい。それは本発明の別の実施例を示し、その結合部５０Ａは磁性を有する磁性装置とされ、該磁性装置は磁石とされ得る。また、図９の実施例では、その結合部５０Ｂは吸盤とされ、また、図１０の実施例では、その結合部５０Ｃは挟持爪とされる。これにより、該磁性装置による吸着、吸盤による吸着、或いは挟持爪による挟持により、該外付け式デジタル角度測定装置を該該駆動ヘッド１２或いは該駆動ロッド１１或いは該手動工具１０の任意の適当な位置に取り付けることができる。
【００１７】
上述したように、本発明は角度検出システム４０により手動工具１０の回転角度を取得し、外付け式デジタル角度測定装置が該該駆動ヘッド１２或いは該駆動ロッド１１或いは該手動工具１０の任意の適当な位置に着脱自在に取付けられ、該手動工具１０が回転する時、該角度検出システム４０により該スリーブコネクタ９の回転角度を検出し、これにより、角度測定したい時は、該外付け式デジタル角度測定装置を該駆動ヘッド１２或いは該駆動ロッド１１或いは該手動工具１０の任意の適宜位置に取付けることができ、不使用時には、取り外して適宜保存でき、その応用性は高く、保存に便利で、異なるタイプの手動工具に適用でき、使用者の要求を満足させられる。
【符号の説明】
【００１８】
１０  手動工具
１１  駆動ロッド
１２  駆動ヘッド
１３  スリーブコネクタ
２０  ケース
３０  表示装置
４０  角度検出システム
５０  結合部
６０  結合部固定座
４１  デジタル角度測定装置
４２  信号処理システム
４３  回路板
２１  発光装置
２２  ブザー
２３  設定ボタン
２４  電池
５０Ａ  結合部
５０Ｂ  結合部
５０Ｃ  結合部
【図１】
2011252782.tif 000003
【図２】
2011252782.tif 000004
【図３】
2011252782.tif 000005
【図４】
2011252782.tif 000006
【図５】
2011252782.tif 000007
【図６】
2011252782.tif 000008
【図７】
2011252782.tif 000009
【図８】
2011252782.tif 000010
【図９】
2011252782.tif 000011
【図１０】
2011252782.tif 000012